(57)【要約】【課題】従来の製品（音楽ＣＤの全面に塩化ビニールなどの接着剤付円盤をＣＤに貼り重量を与えてＣＤの回転の安定性を高めるもの、又は厚めの樹脂シートの片面に蛍光塗料を塗布した円盤をＣＤ上に置き重ねて演奏するもの）がもたらす若干の解像度の向上及び音色が明るくなる効果以上に音楽の解像度を向上させ演奏者の定位感及び聴感上のダイナミックレンジを広げること。【解決手段】紙テープ又は樹脂テープ２枚の間にアルミテープの小片をはさみ、その完成品をガイド（テンプレート）を用いてＣＤの表面の特定の位置に貼る。又は、そのテープを樹脂製円盤に貼りその円盤をＣＤに載せて演奏する。【選択図】図１
2006085881.tif 000002
【特許請求の範囲】
【請求項１】
１枚のノリ付き紙テープと同サイズの２枚目のノリ付き紙テープの間にアルミ蒸着したテープ（又はアルミ箔）の小片をはさみ３層に構成したＣＤ音質向上のテープ。
【請求項２】
１枚のノリ付き樹脂テープと同サイズの２枚目のノリ付き樹脂テープの間にアルミ蒸着したテープ（又はアルミ箔）の小片をはさみ３層に構成した「請求項１」のＣＤ音質向上のテープ。
【請求項３】
「請求項１」「請求項２」のアルミ蒸着したテープ（又はアルミ箔）の小片の代わりに上下のテープと同じサイズの樹脂フィルムの一部にアルミを蒸着させた樹脂テープを真中にしてノリ付きテープ２枚を上下にはさんだ「請求項１」のＣＤ音質向上テープ。
【請求項４】
「請求項１」のノリ付き紙テープにアルミ蒸着したアルミテープ（又はアルミ箔）の小片を製紙の段階ではさみこみテープとして一体化した「請求項１」のＣＤ音質向上テープ。
【請求項５】
「請求項１」「請求項２」「請求項３」「請求項４」のＣＤ音質向上テープをＣＤ中心の穴にあわせて貼る位置を決めるガイド（テンプレート）の板。
【請求項６】
「請求項１」「請求項２」「請求項３」「請求項４」のＣＤ音質向上テープをＣＤと同じサイズの樹脂製円盤に対して「請求項５」のガイド（テンプレート）で定められた位置に貼り付け又はラミネートして「請求項１」「請求項２」「請求項３」「請求項４」のＣＤ音質向上テープのようにＣＤ本体に接着にさせずにＣＤに乗せて演奏するだけで音質向上を図る樹脂製円盤。
【発明の詳細な説明】
【技術分野】
【０００１】この発明は音楽ＣＤの音質向上を図るためＣＤの一定の部分に貼りつけるテープ又はそのテープを貼り付けた円盤に関するものである。
【背景技術】
【０００２】従来の音質向上対策の製品は、音楽ＣＤの全面に塩化ビニールなどの接着剤付円盤を貼りＣＤに重量を与えてＣＤの回転の安定性を高め音質向上を図る製品があった。又は、厚めの樹脂シートの片面に蛍光塗料を塗布した円盤をＣＤ上に置き重ねて音質向上を図る製品があった。いずれの製品もわずかに解像度が向上するか又は音色が明るくなるが音質全般の向上は軽微であった。又、これらの製品は昔のレコード演奏におけるフォノカートリッジのように付け替えてリスナーが好みの音質を選べるように音質管理を図ったバラエティーのある製品はなかった。
【発明の開示】
【発明が解決しようとする課題】
【０００３】本発明は、従来の円盤の重量によりＣＤの回転の安定性を図る製品、又は円盤に塗布した蛍光塗料により音質向上を図る製品などとは全く別の仕組みにより従来の製品を上回るＣＤの音質向上を実現し、かつリスナーの好みに合った最適な音質をＣＤ再生においてレコードのフォノカートリッジの交換のように簡便に実現し音楽をより高度に楽しめることを課題とする。
【課題を解決するための手段】
【０００４】以上の課題を解決するため「請求項１」「請求項２」「請求項３」「請求項４」のいずれかのテープをＣＤの中心の穴と同じ径をもつ位置決めのための「請求項５」のガイド（テンプレート）に沿ってＣＤの文字印刷がある面（音楽情報の面の裏側）に貼り付ける。テープの接着後はガイド（テンプレート）を外す。図３を参照。
その際、テープの位置がＣＤ上にて左右対称となるようテープの中心線とガイド（テンプレート）の中心線がなるべく一直線になるよう貼り付ける。
又は、ＣＤにテープを貼り付ける代わりに「請求項６」の円盤をＣＤ上に置き重ねてＣＤを演奏する。
【発明の効果】
【０００５】「請求項１」「請求項２」「請求項３」「請求項４」の本テープをＣＤに貼ることにより又は「請求項６」のテープ付きの円盤をＣＤに重ね置きすることにより音楽の解像度が向上する。即ち楽器又は人声の輪郭が明瞭となりそれらの聴感上の前後左右の位置関係がわかるようになり定位感が向上する、又同時に奥行きの表現が感じられるようになる。更には、高域・低域が延びて音のメリハリがつく表現となる。次の項目に詳述するように音像の大きさ、定位、解像度を管理できるためレコードのフォノカートリッジの交換のようにＣＤに合ったリスナーの好みの音質のテープを選択したり、好みの音質のテープを付した樹脂製の円盤をＣＤにおいて音楽をより高度に楽しむことができる。
【発明を実施するための最良の形態】
【０００６】「請求項１」「請求項２」「請求項３」「請求項４」の一実施形態を、図１に示す。
ＣＤの音質向上テープの最適なサイズは縦５ミリから８ミリ程度、横９０ミリから１００ミリ程度で（１）の部分である。アルミ蒸着テープ又はアルミ箔の最適なサイズは縦２．４ミリから２．７ミリ程度、横７５ミリから８０ミリ程度で（２）の部分である。樹脂フィルムの一部にアルミ蒸着させたテープは（３）に示す。又、紙の製紙の段階でアルミテープをはさみこんだ一体化したテープもできる。
アルミ蒸着テープ又はアルミ箔の縦のサイズを変えることにより音質をコントロールすることができ、縦長になるにつれて、音にメリハリがつき音像が大きくなる傾向がある。又，直線型から弓型にすることにより音像が明確になり解像度が向上する傾向がある。
このテープを音楽ＣＤ本体に貼り付ける際に用いられるガイド（テンプレート）の一実施形態を図２に示す。ガイド（テンプレート）（４）の最適なサイズは音楽ＣＤの中心穴の端から７ミリから１２ミリ程度の位置（５）に音質向上テープの下辺が位置する程度であり、幅は４０ミリから５０ミリ程度である。
更にテープを貼付する位置により音像をコントロールすることができＣＤの中心穴からテープが離れるに従い再生される音像が小さくなり遠く感じられる傾向がある。
図３では、「請求項１」「請求項２」「請求項３」「請求項４」のＣＤ音質向上テープを「請求項５」のガイド（テンプレート）を用いてＣＤに貼り付ける形態を示す。その場合テープのバランスを保つため貼る位置が左右対称となるようにテープの中心線とガイド（テンプレート）の中心線が一直線になるように貼り付ける。テープの接着後はガイド（テンプレート）を外す。
「請求項６」の一実施形態を図４に示す。図３の場合と同様に「請求項５」のガイド（テンプレート）を用いてＣＤ音質向上テープをＣＤと同じサイズの樹脂製円盤に貼り付ける又はテープをラミネートする。テープの位置決め後はガイド（テンプレート）を外す。この円盤をＣＤに載せて演奏する。この場合は実施の効果はやや低下するが円盤は独立して使用できるので他のＣＤに繰り返し使用して演奏できる。又種々の音質のテープ付の円盤を用意しリスナーの好みに応じて簡単に使い分けることができる。【０００７】「実施形態の効果」
この形態の効果は様々な実験の結果導きだされたもので効果の原因となる原理の詳細は不明である。しかしながらＣＤ演奏にかかわるＣＤの回転と光学ピックアップのデータ読み取りの仕組みから以下の原因が推測される。
この形態によれば、テープそのもの又はテープ付きの円盤の重さによる回転の安定性と、ＣＤの反射膜層、レーベル印刷層、ＣＤ上に貼り付けられたテープの紙の層を突き抜けたレーザー光線がテープ内の特定の位置にある特定の形状の小片のアルミ蒸着テープ又はアルミ箔に反射されＣＤプレーヤーのピックアップによる効率的なデータ読み取りが実現し、それが聴感上音楽ＣＤの解像度を向上させるものと思われる。
【図面の簡単な説明】
【０００８】
【図１】  請求項１，２，３，４の一実施形態を示す構成図と完成図である
【図２】  請求項５の一実施形態を示す斜視図である
【図３】  ガイド（テンプレート）を用いてＣＤ本体にテープを貼る一実施形態の平面図である
【図４】  請求項６の一実施形態を示す平面図である。
【符号の説明】
【０００９】１．ノリ付紙テープ又はノリ付樹脂テープ
２．アルミ蒸着したテープ又はアルミ箔
３．樹脂フィルムの一部にアルミ蒸着させたテープ
４．ガイド（テンプレート）
５．ＣＤ中心穴からの距離
６．ＣＤ本体（文字印刷面、音楽情報面の裏側）
７．ＣＤ音質向上テープ
８．ＣＤと同サイズの樹脂製円盤
【図１】
2006085881.tif 000003
【図２】
2006085881.tif 000004
【図３】
2006085881.tif 000005
【図４】
2006085881.tif 000006